(57)【要約】 【課題】適切なタイミングで通信相手と通信できるようにする。 【解決手段】ＣＰＵ１は、時間帯テーブルＴＭ内の「無料／割引時間帯」、発信予定テーブルＤＬ内の「設定時間帯」のうち、そのいずれかの時間帯に応じて通信を促す催促タイミングを検出するほか、複数の通信相手の中から通信対象候補となる通信相手を特定し、この通信相手への通信要否を催促タイミングで案内報知する。 【選択図】  図１
2009033496.tif 000002
【特許請求の範囲】
【請求項１】
任意の通信相手と通信が可能な携帯通信端末装置であって、
予め決められた所定時間帯を記憶する時間帯記憶手段と、
前記所定時間帯と現在時刻に応じて通信を促す催促タイミングを検出する検出手段と、
複数の通信相手の中から通信対象候補となる通信相手を特定する特定手段と、
前記検出手段によって催促タイミングが検出された場合に、前記特定手段によって特定された通信相手への通信要否を案内報知する報知手段と、
を具備したことを特徴とする携帯通信端末装置。
【請求項２】
複数の通信相手の通信先情報を記憶する情報記憶手段と、
前記通信要否の案内報知後にあって、ユーザから通信指示があった際に、前記通信対象候補である通信相手の通信先情報を前記情報記憶手段から読み出して当該相手に対して通信処理を行う通信制御手段と
を更に備えたことを特徴とする請求項１記載の携帯通信端末装置。
【請求項３】
前記特定手段によって特定された複数の通信相手の中からそのいずれかの通信相手が選択された際に、前記通信制御手段は、選択された通信相手の通信先情報を前記情報記憶手段から読み出して当該相手に対して通信処理を行う、
ようにしたことを特徴とする請求項２記載の携帯端末装置。
【請求項４】
前記所定時間帯は、通話料金が安価となる時間帯あるいは通信料金が高価となる時間帯であり、
前記検出手段は、通話料金が安価な時間帯から高価な時間帯に切り替わる所定時間前のタイミングを催促タイミングとして検出する、
ようにしたことを特徴とする請求項１記載の携帯通信端末装置。
【請求項５】
前記所定時間帯は、通話料金が安価となる時間帯あるいは通信料金が高価となる時間帯であり、
前記検出手段は、通話料金が安価となる時間帯の開始直後、通信料金が高価となる時間帯が終了間際あるいはその開始直後を前記催促タイミングとして検出する、
ようにしたことを特徴とする請求項１記載の携帯通信端末装置。
【請求項６】
前記所定時間帯は、予め設定された時刻あるいは日時を含む時間帯であり、
前記検出手段は、現在時刻が前記所定時間帯に入ったタイミングを催促タイミングとして検出する、
ようにしたことを特徴とする請求項１記載の携帯端末装置。
【請求項７】
前記所定時間帯に対応して通信相手が記憶されている状態において、前記特定手段は、前記所定時間帯と現在時刻に応じて催促タイミングが検出された場合に、当該所定時間帯に対応する通信相手を通信対象候補として特定する、
ようにしたことを特徴とする請求項１記載の携帯端末装置。
【請求項８】
複数の通信相手の通信先情報を記憶する情報記憶手段を備え、
前記特定手段は、前記情報記憶手段に通信先情報が記憶されている複数の通信相手のうち、予め指定されている通信相手を通信対象候補として特定する、
ようにしたことを特徴とする請求項１記載の携帯端末装置。
【請求項９】
複数の通信相手に対応して過去の通信履歴を記憶する通信履歴記憶手段を備え、
前記特定手段は、前記通信履歴を参照してその通信頻度の高い相手を通信対象候補として特定する、
ようにしたことを特徴とする請求項１記載の携帯端末装置。
【請求項１０】
前記通信履歴は、発信履歴と着信履歴とを含み、前記特定手段は、通信頻度の高い相手の特定する際に、直近で通信したばかりの通信相手を除いて特定する、
ようにしたことを特徴とする請求項９記載の携帯端末装置。
【請求項１１】
任意の通信相手と通信が可能な携帯通信端末装置であって、
予め決められた所定時間帯を記憶する時間帯記憶手段と、
通信要求を受けた際にその通信相手を特定する特定手段と、
この特定手段によって特定された通信相手との通信に先立って、その通信要求されたタイミングと前記所定時間帯とに応じて当該要求の実行要否を案内報知する報知手段と、
を具備したことを特徴とする携帯通信端末装置。
【請求項１２】
前記報知手段は、ユーザ操作によって任意の通信相手に対する発信要求が指示された際に、その通信相手との通信に先立って、当該要求の実行要否を案内報知する、
ようにしたことを特徴とする請求項１１記載の携帯端末装置。
【請求項１３】
前記所定時間帯は、通話料金が安価となる時間帯あるいは通信料金が高価となる時間帯であり、
前記報知手段は、通信要求されたタイミングが通信料金が高価な時間帯に含まれる場合に、通話料金が安価となる時間帯になるまで当該通信要求の実行を保留することを促す案内報知を行う、
ようにしたことを特徴とする請求項１１記載の携帯端末装置。
【請求項１４】
前記報知手段は、通信要求されたタイミングが通信料金が高価な時間帯に含まれる場合に、通信料金が安価な時間帯になるまでの間が所定時間内であることを条件に当該要求の実行要否を案内報知する、
ようにしたことを特徴とする請求項１３記載の携帯端末装置。
【請求項１５】
通信料金が高価な時間帯であることを条件に通信要求の実行を保留した際に、前記特定手段によって特定された通信相手を保留相手として記憶する保留相手記憶手段を更に備え、
前記報知手段は、通話料金が高価な時間帯から通話料金が安価な時間帯になった際に、前記保留相手への通信要否を案内報知する、
ようにしたことを特徴とする請求項１３記載の携帯端末装置。
【請求項１６】
前記通信相手毎にその相手が利用している通信事業者の種別を記憶する通信事業者記憶手段を更に備え、
前記報知手段は、前記特定された通信相手の通信事業者の種別を参照し、割引対象となる通信相手の場合に、当該要求の実行要否を案内報知する、
ようにしたことを特徴とする請求項１１記載の携帯端末装置。
【請求項１７】
前記報知手段は、通信回線を介した通信相手からの着信要求を受けた際に、その通信相手との通信に先立って、当該要求に応じてその着信要否を案内報知する、
ようにしたことを特徴とする請求項１１記載の携帯端末装置。
【請求項１８】
前記通信要否の案内報知後にあって、着信要求の実行を保留した際に、前記特定手段によって特定された通信相手を保留相手として記憶する保留相手記憶手段を更に備え、
前記報知手段は、現在時刻が前記所定時間帯以外になった際に、前記保留相手への通信要否を案内報知する、
ようにしたことを特徴とする請求項１７記載の携帯端末装置。
【請求項１９】
コンピュータに対して、
予め決められた所定時間帯が記憶されている場合に、この所定時間帯と現在時刻に応じて通信を促す催促タイミングを検出する機能と、
複数の通信相手の中から通信対象候補となる通信相手を特定する機能と、
前記催促タイミングが検出された場合に、前記特定された通信相手への通信要否を案内報知する機能と、
を実現させるためのプログラム。
【請求項２０】
コンピュータに対して、
通信要求を受けた際にその通信相手を特定する機能と、
予め決められた所定時間帯が記憶されている場合に、前記特定された通信相手との通信に先立って、その通信要求されたタイミングと前記所定時間帯とに応じて当該要求の実行要否を案内報知する機能と、
を実現させるためのプログラム。
【発明の詳細な説明】
【技術分野】
【０００１】
この発明は、任意の通信相手と通信が可能な携帯通信端末装置及びプログラムに関する。
【背景技術】
【０００２】
近年、携帯通信端末装置としての携帯電話装置においては、通信する時間帯によって通信料金が異なるサービスが普及してきており、特に、通信料金が無料になる時間帯を含むサービスも普及してきている。このような割引時間帯になった際に、「現在通話料金は割引時間帯中です」のようなメッセージ表示によって割引時間帯になったことを報知するようにした技術が知られている（特許文献１参照）
【特許文献１】特開平８−２５６２２９号公報
【発明の開示】
【発明が解決しようとする課題】
【０００３】
しかしながら、上述のような先行技術では、割引時間帯になったことが報知されたとしても、ユーザ自身がその必要性を特に認識していない、あるいはできていない場合には、無意味な報知となり、ユーザに対して積極的に通話を促すものではなかった。従って、ユーザが自発的に通話相手を特定して通話しようとした場合に、その時間帯では既に通信料金が高価な通話時間帯に入っていて、もう少し早ければ安価な時間帯で通話ができたのに、と悔やむ結果になることもある。また、遠方の相手（長距離電話となる相手）あるいは長時間通話の可能性がある相手の場合には、どの時間帯を利用するかで通信料金が大きく異なってしまうことになる。
【０００４】
ところで、通信相手によっては都合の悪い時間帯があり、この時間帯にその相手に対して電話発信を行うと、相手に迷惑をかけてしまうため、従来では相手毎に都合の悪い時間帯を覚えておくようにしているが、通信相手が大勢の場合には正確に覚えておくことは困難となり、現実的ではなかった。
【０００５】
この発明の課題は、適切なタイミングで通信相手と通信できるようにすることである。
【課題を解決するための手段】
【０００６】
請求項１記載の発明（第１の発明）は、任意の通信相手と通信が可能な携帯通信端末装置であって、予め決められた所定時間帯を記憶する時間帯記憶手段と、前記所定時間帯と現在時刻に応じて通信を促す催促タイミングを検出する検出手段と、複数の通信相手の中から通信対象候補となる通信相手を特定する特定手段と、前記検出手段によって催促タイミングが検出された場合に、前記特定手段によって特定された通信相手への通信要否を案内報知する報知手段とを具備したことを特徴とする。
更に、コンピュータに対して、上述した請求項１記載の発明に示した主要機能を実現させるためのプログラムを提供する（請求項１９記載の発明）。
【０００７】
なお、上述した請求項１記載の発明は次のようなものであってもよい。
複数の通信相手の通信先情報を記憶する情報記憶手段と、前記通信要否の案内報知後にあって、ユーザから通信指示があった際に、前記通信対象候補である通信相手の通信先情報を前記情報記憶手段から読み出して当該相手に対して通信処理を行う通信制御手段とを更に備える（請求項２記載の発明）。
【０００８】
請求項２記載の発明において、前記特定手段によって特定された複数の通信相手の中からそのいずれかの通信相手が選択された際に、前記通信制御手段は、選択された通信相手の通信先情報を前記情報記憶手段から読み出して当該相手に対して通信処理を行うようにしてもよい（請求項３記載の発明）。
【０００９】
前記所定時間帯は、通話料金が安価となる時間帯あるいは通信料金が高価となる時間帯であり、前記検出手段は、通話料金が安価な時間帯から高価な時間帯に切り替わる所定時間前のタイミングを催促タイミングとして検出する（請求項４記載の発明）。
【００１０】
前記所定時間帯は、通話料金が安価となる時間帯あるいは通信料金が高価となる時間帯であり、前記検出手段は、通話料金が安価となる時間帯の開始直後、通信料金が高価となる時間帯が終了間際あるいはその開始直後を前記催促タイミングとして検出する（請求項５記載の発明）。
【００１１】
前記所定時間帯は、予め設定された時刻あるいは日時を含む時間帯であり、前記検出手段は、現在時刻が前記所定時間帯に入ったタイミングを催促タイミングとして検出する（請求項６記載の発明）。
【００１２】
前記所定時間帯に対応して通信相手が記憶されている状態において、前記特定手段は、前記所定時間帯と現在時刻に応じて催促タイミングが検出された場合に、当該所定時間帯に対応する通信相手を通信対象候補として特定する（請求項７記載の発明）。
【００１３】
複数の通信相手の通信先情報を記憶する情報記憶手段を備え、前記特定手段は、前記情報記憶手段に通信先情報が記憶されている複数の通信相手のうち、予め指定されている通信相手を通信対象候補として特定する（請求項８記載の発明）。
【００１４】
複数の通信相手に対応して過去の通信履歴を記憶する通信履歴記憶手段を備え、前記特定手段は、前記通信履歴を参照してその通信頻度の高い相手を通信対象候補として特定する（請求項９記載の発明）。
【００１５】
請求項９記載の発明において、前記通信履歴は、発信履歴と着信履歴とを含み、前記特定手段は、通信頻度の高い相手の特定する際に、直近で通信したばかりの通信相手を除いて特定するようにしてもよい（請求項１０記載の発明）。
【００１６】
請求項１１記載の発明（第２の発明）は、任意の通信相手と通信が可能な携帯通信端末装置であって、予め決められた所定時間帯を記憶する時間帯記憶手段と、通信要求を受けた際にその通信相手を特定する特定手段と、この特定手段によって特定された通信相手との通信に先立って、その通信要求されたタイミングと前記所定時間帯とに応じて当該要求の実行要否を案内報知する報知手段とを具備したことを特徴とする。
更に、コンピュータに対して、上述した請求項１１記載の発明に示した主要機能を実現させるためのプログラムを提供する（請求項２０記載の発明）。
【００１７】
なお、上述した請求項１１記載の発明は次のようなものであってもよい。
前記報知手段は、ユーザ操作によって任意の通信相手に対する発信要求が指示された際に、その通信相手との通信に先立って、当該要求の実行要否を案内報知する（請求項１２記載の発明）。
【００１８】
前記所定時間帯は、通話料金が安価となる時間帯あるいは通信料金が高価となる時間帯であり、前記報知手段は、通信要求されたタイミングが通信料金が高価な時間帯に含まれる場合に、通話料金が安価となる時間帯になるまで当該通信要求の実行を保留することを促す案内報知を行う（請求項１３記載の発明）。
【００１９】
前記報知手段は、通信要求されたタイミングが通信料金が高価な時間帯に含まれる場合に、通信料金が安価な時間帯になるまでの間が所定時間内であることを条件に当該要求の実行要否を案内報知する（請求項１４記載の発明）。
【００２０】
通信料金が高価な時間帯であることを条件に通信要求の実行を保留した際に、前記特定手段によって特定された通信相手を保留相手として記憶する保留相手記憶手段を更に備え、前記報知手段は、通話料金が高価な時間帯から通話料金が安価な時間帯になった際に、前記保留相手への通信要否を案内報知する（請求項１５記載の発明）。
【００２１】
前記通信相手毎にその相手が利用している通信事業者の種別を記憶する通信事業者記憶手段を更に備え、前記報知手段は、前記特定された通信相手の通信事業者の種別を参照し、割引対象となる通信相手の場合に、当該要求の実行要否を案内報知する（請求項１６記載の発明）。
【００２２】
前記報知手段は、通信回線を介した通信相手からの着信要求を受けた際に、その通信相手との通信に先立って、当該要求に応じてその着信要否を案内報知する（請求項１７記載の発明）。
【００２３】
請求項１７記載の発明において、前記通信要否の案内報知後にあっては、着信要求の実行を保留した際に、前記特定手段によって特定された通信相手を保留相手として記憶する保留相手記憶手段を更に備え、前記報知手段は、現在時刻が前記所定時間帯以外になった際に、前記保留相手への通信要否を案内報知するようにしてもよい（請求項１８記載の発明）。
【発明の効果】
【００２４】
第１の発明は、通信催促と共に通信相手候補を案内することができ、通信すべき適切なタイミングとそのタイミングで通信すべき通信相手候補とを同時に確認することができるほか、適切なタイミングでの通信が可能となる。
【００２５】
第２の発明は、通信要求時の時間帯に基づいてその要求時のタイミングの適否を案内することができ、適切なタイミングでの通信が可能となる。
【発明を実施するための最良の形態】
【００２６】
以下、図１〜図１２を参照して本発明の実施例を説明する。
この実施例は、携帯通信端末装置として携帯電話装置に適用した場合を例示したもので、図１は、この携帯電話装置の基本的な構成要素を示したブロック図である。
この携帯電話装置は、例えば、２つの筐体（操作部筐体、表示部筐体）が開閉可能に取り付けられた折り畳み自在なもので、通話機能、電子メール機能、インターネット接続機能（Ｗｅｂアクセス機能）などが備えられている。
【００２７】
ＣＰＵ１は、記憶部２内の各種のプログラムに応じてこの携帯電話装置の全体動作を制御する中核的な中央演算処理装置である。記憶部２は、内部メモリであり、プログラム領域とデータ領域とを有し、このプログラム領域には、後述する図７及び図８に示す動作手順に応じて本実施例を実現するためのプログラムが格納されており、また、そのデータ領域には、後述するアドレス帳ＡＤ、時間帯テーブルＴＭ、発信予定テーブルＤＬ、通信履歴テーブルＴＲ、保留メモリＲＭなどが備えられている。記録メディア３は、着脱自在な可搬型メモリで、例えば、ＳＤカード、ＩＣカードなどによって構成されている。メモリ４は、ワーク領域を有する内部メモリであり、必要に応じてメモリ４内の各種のデータは、記憶部２にセーブされる。
【００２８】
電話通信部５は、無線部を構成するアンテナに接続された送受信部（ベースバンド部）の受信側から信号を取り込んで受信ベースバンド信号に復調したのち、音声制御部６を介して受話スピーカＳＰから音声出力させる。また、電話通信部５は、送話マイクＭＣからの入力音声を音声制御部６から取り込み、送信ベースバンド信号に符号化したのち、送受信部の送信側に与えてアンテナから発信出力させる。一方、電子メール機能、インターネット接続機能によって電話通信部５を介して受信取得した表示データは、表示制御部７を介して液晶、有機ＥＬなどを使用した高精細なメイン表示部８に与えられて表示出力される。なお、サブ表示部９は現在日時、簡易なメッセージ、アイコンなどを表示するもので、装置本体を閉じた状態でも視認可能なものである。
【００２９】
操作部１０は、ダイヤル入力、文字入力、コマンド入力などを行うもので、ＣＰＵ１は、操作部１０からのキー入力信号に応じた処理を実行する。報知部１１は、サウンドスピーカ、ＬＥＤ（発光ダイオード）、振動モータを備え、電話・メール着信時に駆動されて着信報知を行うほか、アラーム報知時にも駆動される。ＲＴＣ（リアルタイムクロックモジュール）１２は、時計部を構成するもので、ＣＰＵ１は、ＲＴＣ１２から現在時刻（日時を含む）を取得する。
【００３０】
図２は、アドレス帳ＡＤを説明するための図である。
アドレス帳ＡＤは、通信相手に関する情報を複数（例えば、５００人分）記憶可能な構成となっており、その内容はユーザ操作によって任意に登録されたもので、このアドレス帳を構成する各レコードは、「相手名前」、「電話番号」、「メールアドレス」、「キャリア種」、「特定相手」の各項目を有している。「キャリア種」は、その相手が契約している通信事業者の種別（キャリア種）が設定される項目である。
【００３１】
「特定相手」は、適切なタイミングで通信すべき通信相手候補を特定するためのもので、図中、丸印はその特定相手を示している。すなわち、この実施例においては例えば、通信する時間帯によって通信料金が異なる場合（通信料金が無料になる時間帯や割引となる時間帯が存在する場合）に、遠方の相手（長距離電話となる相手）あるいは長時間通話の可能性がある相手に対しては、どの時間帯を利用するかで通信料金が大きく異なってしまうため、その相手を「特定相手」として予め任意に指定（設定）するようにしている。
【００３２】
図３は、時間帯テーブルＴＭを説明するための図である。
時間帯テーブルＴＭは、通信する時間帯によって通信料金が異なる場合に自己が契約している通信事業者と通信相手が契約している通信事業者とが同一か否かによって通信料金が無料あるいは割引となるか、有料（通常料金）となるかを設定するためのテーブルで、「無料／割引」に対応してその「時間帯」と「相手キャリア種」を記憶し、また、「有料（通常）」に対応してその「時間帯」と「相手キャリア種」を記憶する構成となっている。なお、図示の例では、「無料／割引」、「有料（通常）」に対応してその「時間帯」を記憶するようにしたが、「無料」、「割引」に分けてその「時間帯」を記憶したり、割引率が異なる毎にその「時間帯」を記憶したりするようにしてもよい。つまり、時間帯によって通信料金が異なる場合に、通信料金に応じて時間帯を詳細に区分するようにしてもよい。
【００３３】
図４は、発信予定テーブルＤＬを説明するための図である。
発信予定テーブルＤＬは、時間帯別に発信予定相手を記憶するテーブルで、「設定時間帯」、「発信予定相手」の項目を有している。すなわち、通信相手によっては都合の悪い時間帯がある場合に、この時間帯にその相手に対して電話発信を行うと、相手に迷惑をかけてしまうため、電話発信に適した時間帯毎にその発信予定の相手を記憶するようにしている。例えば、発信予定テーブルＤＬは、早朝の時間帯に対応してＢ氏、Ｅ氏、また、昼休みの時間帯に対応してＡ氏、Ｂ氏、また、深夜の時間帯に対応してＦ氏、Ｇ氏などのように時間帯毎にその発信予定の相手が記憶されるテーブルである。
【００３４】
図５は、通信履歴テーブルＴＲを説明するための図である。
通信履歴テーブルＴＲは、所定期間（例えば、１週間以内）での発信履歴及び着信履歴を記憶するもので、発信履歴情報として「発信日時」と「発信相手」とを記憶する発信履歴テーブルＴＲ−１と、着信履歴情報として「着信日時」と「着信相手」とを記憶する着信履歴テーブルＴＲ−２とを有している。この通信履歴テーブルＴＲは、アドレス帳ＡＤの「特定相手」によって特定された通信相手候補の中から所定期間内で通信回数（発信回数／着信回数）が多かった相手に絞り込む際に参照される。なお、通信履歴テーブルＴＲの内容を所定期間（例えば、１週間）毎に削除するようにしてもよい。
【００３５】
図６は、保留メモリＲＭを説明するための図である。
保留メモリＲＭは、「着信保留時間帯」、「通信保留フラグ」、「保留相手」を記憶するものである。「着信保留時間帯」は、着信を保留したい時間帯であり、ユーザ操作によって任意に設定したもので、例えば、通信料金が高価な時間帯、つまり、「有料（通常）時間帯」に着信があった場合に、その着信を保留して相手の負担を軽減するために、この高価な時間帯を「着信保留時間帯」として設定するようにしている。この「着信保留時間帯」内に電話着信を受けた際に、ＣＰＵ１は、着信保留時間帯内での着信である旨をメッセージ表示させたのち、ユーザから着信保留が指示されると、「通信保留フラグ」をセットするほか、その着信相手を「保留相手」として記憶するようにしている。
【００３６】
また、発信の場合も同様に、通信料金が高価な「有料（通常）時間帯」に発信操作が行われた際に、所定時間後（例えば、３０分後）に通信料金が安価な「無料／割引時間帯」になるときには、そのことをメッセージ表示によって報知するようにしているが、その際、ユーザから発信保留が指定されると、「通信保留フラグ」をセットするほか、その発信相手を「保留相手」として記憶するようにしている。このようにして通信（着信あるいは発信）を保留したのちにおいて、「無料／割引時間帯」に入ると、「通信保留フラグ」がセットされていることを条件に、その「保留相手」を読み出してその相手に発信を行うようにしている。
【００３７】
このようにアドレス帳ＡＤ、時間帯テーブルＴＭ、発信予定テーブルＤＬが設けられている状態において、ＣＰＵ１は、時間帯テーブルＴＭ内の「無料／割引時間帯」、発信予定テーブルＤＬ内の「設定時間帯」のうち、そのいずれかの時間帯とＲＴＣ１２によって得られた現在時刻に応じて通信を促す催促タイミングを検出するほか、複数の通信相手の中から通信対象候補となる通信相手を特定し、この通信相手への通信要否を上述の催促タイミングで案内報知するようにしている。
【００３８】
また、保留メモリＲＭに「着信保留時間帯」、時間帯テーブルＴＭに「無料／割引時間帯」が記憶されている状態において、ＣＰＵ１は、着信あるいは発信の通信要求を受けた際にその通信相手を特定するほか、この通信相手との通信に先立って、その通信要求されたタイミングと「着信保留時間帯」あるいは「無料／割引時間帯」とに応じて当該要求の実行要否を案内報知するようにしている。
【００３９】
次に、この実施例における携帯電話装置の動作概念を図７及び図８に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００４０】
図７及び図８は、電源投入に伴って実行開始される携帯電話装置の全体動作を示したフローチャートである。なお、図７は、通信要求検出時の処理を主に示し、図８は、通信を促す催促タイミング検出時の処理を主に示したフローチャートである。
先ず、ＣＰＵ１は、電源を投入する電源オン操作が行われると、電話通信部５を作動させて現在位置を登録する待受処理を行うと共に、所定の待受画像を読み出して表示出力させながら電話の待受状態となる（ステップＳ１）。この待受状態において、電話着信を検出すると（ステップＳ２でＹＥＳ）、ＲＴＣ１２から現在時刻を取得すると共に、保留メモリＲＭから「着信保留時間帯」を取得して現在時刻と「着信保留時間帯」とを比較し（ステップＳ３）、現在時刻が「着信保留時間帯」内に入っているかを調べる（ステップＳ４）。
【００４１】
いま、「着信保留時間帯」から外れていれば（ステップＳ４でＮＯ）、電話着信の報知として着信メッセージを表示させるが（ステップＳ５）、現在時刻が「着信保留時間帯」内であれば（ステップＳ４でＹＥＳ）、予め設定された保留時間帯に該当することを示す保留時間帯メッセージを表示させる（ステップＳ６）。つまり、着信要求を受けた際に、この通信相手との通話開始に先立って、その通信要求されたタイミング（現在時刻）と「着信保留時間帯」とに応じて当該着信要求の実行要否を案内報知する保留時間帯メッセージを表示させる。図９は、保留時間帯メッセージ画面を示したもので、このメッセージ画面には保留時間帯内での着信要否かを問い合わせるメッセージが表示されるほか、着信を指示する着信ボタン及び着信の保留を指示する保留ボタンが配置表示される。
【００４２】
ここで、着信ボタンの操作で着信が指示された場合には（ステップＳ７でＹＥＳ）、その通信相手を特定して、この通信相手との回線接続の確立に応じて通話可能状態とする着信通話処理を実行したのち（ステップＳ８）、通信履歴テーブルＴＲ（着信履歴テーブルＴＲ−２）に「着信日時」及び「着信相手」を記憶する（ステップＳ９）。また、着信が指示されなかった場合、つまり、保留ボタンの操作で着信保留が指示された場合には（ステップＳ７でＮＯ）、その着信切断を行ったのち（ステップＳ１０）、保留メモリＲＭに「通信保留フラグ」をセットするほか（ステップＳ１１）、その相手を指定する情報（例えば、アドレス帳ＩＤ）を「保留相手」として記憶しておく（ステップＳ１２）。その後、上述の待受状態に戻る（ステップＳ１）。
【００４３】
また、待受状態において何らかの操作が行われた場合には（ステップＳ１３でＹＥＳ）、それは電話発信操作であるかを調べ（ステップＳ１４）、それ以外の操作であれば（ステップＳ１４でＮＯ）、その操作に対応した処理として、例えば、メール作成処理などを実行したのち（ステップＳ１５）、上述の待受状態に戻るが（ステップＳ１）、電話発信操作が行われた場合には（ステップＳ１４でＹＥＳ）、次のステップＳ１６に移る。この場合、アドレス帳ＡＤの内容を表示させている状態においてその中から任意の発信相手が選択されると、この発信相手の電話番号をアドレス帳ＡＤから読み出す（ステップＳ１７）。なお、発信相手の電話番号は、操作部１０のテンキーを操作して直接入力するようにしてもよい。
【００４４】
そして、ＣＰＵ１は、ＲＴＣ１２から現在時刻を取得すると共に時間帯テーブルＴＭから「無料／割引時間帯」を読み出し、現在時刻が「無料／割引時間帯」に入っているかを調べ（ステップＳ１８）、「無料／割引時間帯」内であれば、ステップＳ２３に移り、そのまま選択相手の電話番号宛に発信を行うが、「無料／割引時間帯」から外れていれば（ステップＳ１８でＮＯ）、現在時刻から「無料／割引時間帯」の開始時刻を減算し、その算出時間は所定時間以内（例えば、３０分以内）かを調べる（ステップＳ１９）。
【００４５】
つまり、通信料金が高価な時間帯に発信要求が行われた場合に、通信料金が安価な「無料／割引時間帯」になるまで３０分以内であるかを調べ、３０分を超えていれば（ステップＳ１９でＮＯ）、ステップＳ２３に移り、そのまま選択相手の電話番号宛に発信を行うが、３０分以内であれば（ステップＳ１９でＹＥＳ）、アドレス帳ＡＤから発信相手の「キャリア種」を読み出し、ユーザ自身のキャリア種と同一か、つまり、発信相手は無料／割引対象者かを調べる（ステップＳ２０）。ここで、無料／割引対象者でなければ、ステップＳ２３に移り、そのまま選択相手の電話番号宛に発信を行うが、無料／割引対象者であれば（ステップＳ２０でＹＥＳ）、無料／割引時間帯確認メッセージを表示させる（ステップＳ２１）。すなわち、発信の通信要求を受けた際にその通信相手との通信に先立って、その通信要求されたタイミングと「無料／割引時間帯」とに応じて当該発信要求の実行要否を案内報知する無料／割引時間帯確認メッセージを表示させる。
【００４６】
図１０は、通信料金が高価な時間帯に発信要求された場合に、無料／割引時間になるまで発信要求の実行を保留することを促す無料／割引時間帯確認メッセージ画面を示した図である。
無料／割引時間帯確認メッセージ画面には、所定時間以内（例えば、３０分以内）に「無料／割引時間帯」になるが、それでも発信を行うか、発信を保留するかを問い合わせるメッセージが表示されるほか、発信を指示する発信ボタン及び発信の保留を指示する保留ボタンが配置表示される。いま、発信ボタンが操作されて発信が指示された場合には（ステップＳ２２でＹＥＳ）、次のステップＳ２３に移り、そのまま選択相手の電話番号宛に発信を行う。
【００４７】
そして、この発信相手との回線接続が確立すると、通話可能状態としたのち（ステップＳ２４）、通信履歴テーブルＴＲ（発信履歴テーブルＴＲ−１）に「発信日時」及び「発信相手」を記憶する（ステップＳ２５）。また、保留ボタンが操作されて発信保留が指示された場合には（ステップＳ２２でＮＯ）、保留メモリＲＭに「通信保留フラグ」をセットするほか（ステップＳ２６）、その発信保留相手を指定する情報（例えば、アドレス帳ＩＤ）を「保留相手」に記憶する（ステップＳ２７）。
【００４８】
他方、待受状態においてＣＰＵ１は、現在時刻と「無料／割引時間帯」の開始時刻とを比較して、その開始時刻の経過直後か、つまり、「無料／割引時間帯」に入ったかを調べ（図８のステップＳ２８）、「無料／割引時間帯」に入っていれば、保留メモリＲＭに「通信保留フラグ」がセットされているか（着信保留あるいは発信保留の有無）を調べる（ステップＳ２９）。いま、着信保留あるいは発信保留が存在していなければ（ステップＳ２９でＮＯ）、上述の待受状態に戻るが（図７のステップＳ１）、着信保留あるいは発信保留が存在していれば（ステップＳ２９でＹＥＳ）、保留相手への通信要否を案内報知する通信保留メッセージを表示させる（ステップＳ３０）。図１１は、通信保留メッセージ画面を示し、このメッセージ画面には着信保留あるいは発信保留が存在していることを示すメッセージが表示されるほか、発信を指示する発信ボタンが配置表示される。
【００４９】
この通信保留メッセージ画面が表示されている状態において、発信ボタンが操作されて発信が指示されると（ステップＳ３１でＹＥＳ）、保留メモリＲＭから「保留相手」を読み出し（ステップＳ３２）、相手メニュー画面に一覧表示させる（ステップＳ３３）。この状態において、任意の相手が指定されると（ステップＳ３４）、その相手に対応する「電話番号」をアドレス帳ＡＤから読み出してその電話番号宛に発信する発信通話処理を行う（ステップＳ３５）。そして、通信履歴テーブルＴＲ（発信履歴テーブルＴＲ−１）に「発信日時」及び「発信相手」を記憶するほか（ステップＳ３６）、保留メモリＲＭの「保留相手」から今回の発信相手を削除したのち（ステップＳ３７）、保留メモリＲＭに他の「保留相手」が記憶されていることを条件に（ステップＳ３８でＹＥＳ）、上述のステップＳ３３に戻り、相手メニューを表示させる。これによって各「保留相手」に対する発信通話が終わると（ステップＳ３８でＹＥＳ）、上述の待受状態に戻る（図７のステップＳ１）。
【００５０】
また、「無料／割引時間帯」の開始直後でなければ（ステップＳ２８でＮＯ）、その終了時刻の１０分前かを調べる（ステップＳ３９）。この場合、現在時刻と「無料／割引時間帯」の終了時刻とを比較し、その終了時刻に近づいていれば、通信を促す催促タイミングであると判断する。つまり、通話料金が安価な時間帯から高価な時間帯に切り替わる所定時間前のタイミング（「無料／割引時間帯」の終了１０分前）を催促タイミングとして検出する。
【００５１】
いま、催促タイミング（「無料／割引時間帯」の終了１０分前）であれば（ステップＳ３９でＹＥＳ）、アドレス帳ＡＤを参照し、例えば、長距離電話となる相手あるいは長時間通話の可能性がある相手が「特定相手」として予め設定されているかを調べ（ステップＳ４０）、「特定相手」が設定されていなければ（ステップＳ４０でＮＯ）、最近の通信履歴を参照して頻繁に発信した相手がいるかを調べる（ステップＳ４１）。つまり、通信履歴テーブルＴＲ（発信履歴テーブルＴＲ−１）を参照し、１週間以内に発信回数が５回以上の相手が存在しているかを調べ、発信頻度が多い該当者が存在していれば、最近、頻繁に発信した相手を選択することよって相手の絞込みを行う（ステップＳ４２）。
【００５２】
そして、発信回数が５回以上の相手の中に割引対象の相手が存在しているかを調べる（ステップＳ４３）。すなわち、アドレス帳ＡＤを参照し、発信回数が５回以上の相手の「キャリア種」を読み出し、ユーザ自身のキャリア種と同一か（発信相手は無料／割引対象者か）を調べ、無料／割引対象者であれば（ステップＳ４３でＹＥＳ）、発信回数が５回以上の相手の中から割引対象相手を選択することによって割引対象相手への絞り込みを行う（ステップＳ４４）。
【００５３】
なお、発信回数が５回以上の相手が存在していない場合（ステップＳ４１でＮＯ）あるいは無料／割引対象者が存在していない場合には（ステップＳ４３でＮＯ）、上述の待受状態に戻るが（図７のステップＳ１）、上述のようにして相手の絞込みを行ったのちは、ステップＳ４５に移り、発信履歴テーブルＴＲ−１及び着信履歴テーブルＴＲ−２を参照し、直近で通信したばかりの通信相手（１時間以内での通話相手）がいれば、その相手を除外することによって更なる絞込みを行う。
【００５４】
そして、相手を特定することができたか（該当者が一人以上存在しているか）を調べ（ステップＳ４６）、該当者が一人もいなければ、上述の待受状態に戻るが（図７のステップＳ１）、相手を一人以上特定することができた場合には（ステップＳ４６でＹＥＳ）、特定相手に対する発信要否確認メッセージを表示させる（ステップＳ４７）。
図１２は、発信要否確認メッセージ画面を示した図である。この確認メッセージ画面は、上述した催促タイミングで通信相手への発信要否を案内報知するもので、このメッセージ画面には特定相手毎に発信を行うか否かを問い合わせるメッセージが表示されるほか、発信を指示する発信ボタンが配置表示される。ここで、発信ボタンが操作されて発信が指示されると（ステップＳ４８でＹＥＳ）、特定相手の選択メニュー（相手メニュー）を表示させる（ステップＳ４９）。
【００５５】
この選択メニュー画面は、特定相手の一覧表画面であり、このメニュー画面の中からユーザ操作によって任意の相手が選択されると（ステップＳ５０）、アドレス帳ＡＤから当該選択相手に対応する「電話番号」を読み出してその電話番号宛に発信する発信通話処理を行う（ステップＳ５１）。そして、通信履歴テーブルＴＲ（発信履歴テーブルＴＲ−１）に「発信日時」、「発信相手」を記憶したのち（ステップＳ５２）、該当する他の相手がいることを条件に（ステップＳ５３でＹＥＳ）、上述のステップＳ５０に戻り、以下、上述の動作を繰り返す（ステップＳ５０〜Ｓ５３）。
【００５６】
また、アドレス帳ＡＤに「特定相手」が設定されている場合には（ステップＳ４０でＹＥＳ）、上述の場合と同様、上述のステップＳ４５に移り、１時間以内に通信した相手がいれば、その相手を除外したのち、相手を特定することができたことを条件に（ステップＳ４６でＹＥＳ）、特定相手に対する発信要否確認メッセージを表示させたのち（ステップＳ４７）、上述の動作を繰り返す（ステップＳ４８〜Ｓ５３）。
【００５７】
また、「無料／割引時間帯」の終了１０分前ではなければ（ステップＳ３９でＮＯ）、現在時刻と発信予定テーブルＤＬの「設定時間帯」の開始時刻とを比較して、いずれかの「設定時間帯」に入ったかを調べる（ステップＳ５４）。この場合、いずれかの「設定時間帯」の開始直後であれば、通信を促す催促タイミングであると判断する。いま、催促タイミングであれば（ステップＳ５４でＹＥＳ）、その「設定時間帯」に対応付けられている「通信予定相手」を発信予定テーブルＤＬから読み出して、この「発信予定相手」を通信対象候補として特定したのち（ステップＳ５５）、上述のステップＳ４７に移り、特定相手に対する発信要否確認メッセージを表示させたのち、上述の動作を繰り返す（ステップＳ４８〜Ｓ５３）。
【００５８】
以上のように、この実施例においてＣＰＵ１は、時間帯テーブルＴＭ内の「無料／割引時間帯」、発信予定テーブルＤＬ内の「設定時間帯」のうち、そのいずれかの時間帯に応じて通信を促す催促タイミングを検出するほか、複数の通信相手の中から通信対象候補となる通信相手を特定し、この通信相手への通信要否を催促タイミングで案内報知するようにしたので、通信催促と共に通信相手候補を案内することができ、通信すべき適切なタイミングとそのタイミングで通信すべき通信相手候補とを同時に確認することができるほか、適切なタイミングでの通信が可能となる。
【００５９】
ＣＰＵ１は、発信要否確認メッセージの表示後にあって、ユーザから発信指示があった際に、通信対象候補である通信相手の通信先情報（電話番号）をアドレス帳ＡＤから読み出して当該相手に対して発信通話処理を行うようにしたので、ユーザにあっては発信要否を決めてから直ちに当該相手との通話か可能となる。
【００６０】
発信要否確認メッセージの表示後にあって、特定された複数の通信相手の中からそのいずれかの通信相手がユーザ操作によって選択された際に、この選択された通信相手の通信先情報（電話番号）をアドレス帳ＡＤから読み出して当該相手に対して発信通話処理を行うようにしたので、自動特定された（絞り込まれた）複数の通信相手の中から所望する相手を簡単に選択して通話することができる。
【００６１】
時間帯テーブルＴＭには、通信する時間帯によって通信料金が無料あるいは割引となる時間帯（通話料金が安価となる時間帯）、有料（通常料金）となる時間帯（通信料金が高価となる時間帯）が設定されており、ＣＰＵ１は、通話料金が安価な時間帯から高価な時間帯に切り替わる所定時間前のタイミング、つまり、「無料／割引時間帯」の終了１０分前を催促タイミングとして検出するようにしたので、適切なタイミングでの通信が可能となる。
【００６２】
現在時刻と発信予定テーブルＤＬの「設定時間帯」の開始時刻とを比較して、いずれかの「設定時間帯」の開始直後であれば、通信を促す催促タイミングであるとして検出するようにしたので、通信相手によっては都合の良い時間帯にその相手に対して発信を行うことができ、適切なタイミングでの通信が可能となる。
【００６３】
現在時刻が発信予定テーブルＤＬの「設定時間帯」の開始直後であれば、通信を促す催促タイミングであると判断し、その「設定時間帯」に対応付けられている「通信予定相手」を発信予定テーブルＤＬから読み出して、この「発信予定相手」を通信対象候補として特定するようにしたので、通信相手の特定を容易かつ確実に行うことができる。
【００６４】
アドレス帳ＡＤに「特定相手」として予め設定されている相手を通信対象候補として特定するようにしたので、アドレス帳ＡＤを検索するだけで長距離電話となる相手あるいは長時間通話の可能性がある相手の特定が可能となる。
【００６５】
通信履歴テーブルＴＲを参照し、この通信履歴を参照してその通信頻度の高い相手を通信対象候補として特定するようにしたので、実情に即して特定が可能となる。また、通信履歴は、発信履歴と着信履歴とを含み、通信頻度の高い相手の特定する際に、直近で通信したばかりの通信相手（１時間以内での通話相手）を除いて特定することができ、更に実情に即したものとなる。
【００６６】
保留メモリＲＭに「着信保留時間帯」、時間帯テーブルＴＭに「無料／割引時間帯」が記憶されている状態において、ＣＰＵ１は、発信要求などの通信要求を受けた際にその通信相手との通信に先立って、その通信要求されたタイミングと「着信保留時間帯」あるいは「無料／割引時間帯」とに応じて当該要求の実行要否を案内報知するようにしたので、通信要求時の時間帯に基づいて当該要求時のタイミングの適否を案内することができ、適切なタイミングでの通信が可能となる。
【００６７】
通信料金が高価な時間帯に発信要求された場合に、無料／割引時間になるまで発信要求の実行を保留することを促す無料／割引時間帯確認メッセージ画面を表示するようにしたので、長距離電話となる相手あるいは長時間通話の可能性がある相手に対して発信する場合に経済的なものとなる。
【００６８】
通信料金が高価な時間帯に発信要求された場合に、無料／割引時間になるまで３０分以内であれば、無料／割引時間帯確認メッセージ画面を表示するようにしたので、長時間待たせることがなく、適切なタイミングでの報知が可能となる。
【００６９】
発信保留が指示された際に、その発信保留相手を特定する情報の「保留相手」に記憶しておき、「無料／割引時間帯」の開始直後となった際に、保留相手への通信要否を案内報知する通信保留メッセージを表示させるようにしたので、通信料金が高価な時間帯から安価な時間帯に移った時点で保留相手への通信が可能となる。
【００７０】
アドレス帳ＡＤには通信相手毎にその相手が利用している通信事業者の種別（キャリア種）が記憶されている状態において、ＣＰＵ１は、通信相手の「キャリア種」を参照し、割引対象となる通信相手であれば、発信要求の実行を保留することを促す無料／割引時間帯確認メッセージ画面を表示するようにしたので、通信相手が割引対象者の場合にその発信の保留を案内することができる。
【００７１】
着信要求を受けた際に、この通信相手との通信に先立って、その通信要求されたタイミング（現在時刻）と「着信保留時間帯」とに応じて当該着信要求の実行要否を案内報知する保留時間帯メッセージを表示させるようにしたので、例えば、通信料金が高価な時間帯を「着信保留時間帯」として設定しておけば、その着信を保留することで、相手の負担を軽減することができるなど、適切なタイミングでの通信が可能となる。
【００７２】
なお、上述した実施例においては、時間帯テーブルＴＭ内の「無料／割引時間帯」の終了１０分前あるいは発信予定テーブルＤＬ内の「設定時間帯」の開始を催促タイミングとした場合を例示したが、催促タイミングは、「有料（通常）時間帯」の終了間際、あるいは「無料／割引時間帯」の開始直後、又は「有料（通常）時間帯」の開始直後であってもよい。つまり、通話料金が安価となる時間帯の開始直後、通信料金が高価となる時間帯が終了間際あるいはその開始直後を催促タイミングとして検出するようにしてもよい。このように通話料金が安価となる時間帯の開始直後であれば、直ちに通信を開始することができ、通信料金が高価となる時間帯が終了間際であれば、しばらく待つてから通信を開始することができる。通信料金が高価となる時間帯の開始直後であれば、例えば、長距離電話となる相手、長時間通話の可能性がある相手のように、その時間帯内での発信に不適当な相手を確認することができる。
【００７３】
着信要求の実行を保留した際に、その着信相手を保留メモリＲＭの「保留相手」として記憶しておき、現在時刻が「着信保留時間帯」以外になった際に、保留メモリＲＭの「保留相手」への通信要否を案内報知するようにしてもよい。これによって着信保留時間帯が経過した直後に保留相手に対する通信を開始することができる。
【００７４】
また、上述した実施例においては、通信対象候補となる通信相手を特定する場合にアドレス帳ＡＤ、通信履歴テーブルＴＲのいずれかを参照するようにしたが、アドレス帳ＡＤ及び通信履歴テーブルＴＲの両方を参照することによって通信対象候補を特定するようにしてもよい。
【００７５】
また、上述した実施例においては、「無料／割引時間帯」の開始直後に「通信保留フラグ」がセットされていることを条件に、通信保留メッセージを表示したのち、発信指示に応じて保留相手を読み出して相手メニューを表示するようにしたが、通信保留メッセージ画面内に相手メニューを含めて表示するようにしてもよい。
【００７６】
同様に、上述した実施例においては、発信要否確認メッセージの表示後の発信指示に応じて特定相手の選択メニュー（相手メニュー）を表示するようにしたが、発信要否確認メッセージ内に（相手メニュー）を含めて表示するようにしてもよい。
【００７７】
また、上述した実施例においては、通信履歴を参照して通信相手を特定する場合に、１週間以内で発信回数が５回以上を通信対象候補として選択するようにしたが、このような通信頻度に限らず、今までのトータル回数、最近の回数などを基準に通信対象候補を選択するようにしてもよい。
【００７８】
また、上述した実施例においては、通信相手と通話する場合を例示したが、電子メールを送受信する場合でも同様に適用可能である。
その他、携帯電話装置に限らず、例えば、通信機能付きのＰＤＡ、電子カメラ、音楽再生機などの携帯通信端末装置であっても同様に適用可能である。
【図面の簡単な説明】
【００７９】
【図１】携帯通信端末装置として適用した携帯電話装置の基本的な構成要素を示したブロック図。
【図２】アドレス帳ＡＤを説明するための図。
【図３】時間帯テーブルＴＭを説明するための図。
【図４】発信予定テーブルＤＬを説明するための図。
【図５】通信履歴テーブルＴＲを説明するための図。
【図６】保留メモリＲＭを説明するための図。
【図７】電源投入に伴って実行開始される携帯電話装置の全体動作を示し、通信要求検出時の処理を主に示したフローチャート。
【図８】図７に続くフローチャートで、通信を促す催促タイミング検出時の処理を主に示したフローチャート。
【図９】着信要求の実行要否を案内報知する保留時間帯メッセージ画面を示した図。
【図１０】通信料金が高価な時間帯に発信要求された場合に、無料／割引時間になるまで発信要求の実行を保留することを促す無料／割引時間帯確認メッセージ画面を示した図。
【図１１】保留相手への通信要否を案内報知する通信保留メッセージ画面を示した図。
【図１２】通信相手への発信要否を案内報知する発信要否確認メッセージ画面を示した図。
【符号の説明】
【００８０】
１  ＣＰＵ
２  記憶部
５  電話通信部
８  メイン表示部
１０  操作部
１１  報知部
ＡＤ  アドレス帳
ＴＭ  時間帯テーブル
ＤＬ  発信予定テーブル
ＴＲ  通信履歴テーブル
ＴＲ−１  発信履歴テーブル
ＴＲ−２  着信履歴テーブル
ＲＭ  保留メモリ
【図１】
2009033496.tif 000003
【図２】
2009033496.tif 000004
【図３】
2009033496.tif 000005
【図４】
2009033496.tif 000006
【図５】
2009033496.tif 000007
【図６】
2009033496.tif 000008
【図７】
2009033496.tif 000009
【図８】
2009033496.tif 000010
【図９】
2009033496.tif 000011
【図１０】
2009033496.tif 000012
【図１１】
2009033496.tif 000013
【図１２】
2009033496.tif 000014